(57)【特許請求の範囲】
【請求項１】
カードソケットを構成しているハウジングのカード受入部に設けられ、カード受入部に挿入されるカードによって断接が制御される検出スイッチであって、少なくとも二つの接点部材で構成されるカードソケットにおける検出スイッチにおいて、
前記少なくとも二つの接点部材は、一端部に第１接点が形成され、他端部に第２接点が形成された同一の形状の接点部材から成り、
一つの接点部材は、他の接点部材の接点と対向しない接点の部分が切除されていることを特徴とするカードソケットにおける検出スイッチ。
【請求項２】
カードソケットを構成しているハウジングのカード受入部に設けられ、カード受入部に挿入されるカードによって断接が制御される検出スイッチであって、少なくとも二つの接点部材で構成されるカードソケットにおける検出スイッチにおいて、
前記少なくとも二つの接点部材は、一端部に第１接点が形成され、他端部に第２接点が形成された同一の形状の接点部材から成っており、
これら少なくとも二つの接点部材は、ハウジングに一列に並べて設置され、一方の接点部材の端部の第１接点と、他方の接点部材の端部の第２接点が離接可能に対向して、この離接可能な対向部分でカードを介して断接する検出スイッチが構成され、
そして、接点部材の、他の接点部材の接点と対向しない接点の部分が切除されていることを特徴とするカードソケットにおける検出スイッチ。
【発明の詳細な説明】
【０００１】
【発明の属する技術分野】
この発明は、メモリーカード、ＩＣカード、ＰＣカード、フロッピーディスクなどのカード状の媒体を受け入れるカードソケットに係り、カードの受入を検出したり、カードへデータを書き込むことが許されているか否かを検出する目的で設けられる検出スイッチに関する。
【０００２】
【従来の技術】
従来、このカードソケットにおける検出スイッチは、カードソケットを構成しているハウジングのカード受入部に設けられ、カード受入部に挿入されるカードによって変位する接点部材で構成されている。
【０００３】
例えば、ＳＤカード(Square Digital Card )を受け入れるカードソケットの場合、図１４に示すような構成とされている。図において、１００はハウジングで、ＳＤカード１０１を受け入れるカード受入部１０２が形成されている。カード受入部１０２の一側には、カードの挿入方向に沿って、第１接点部材１０３、第２接点部材１０４、第３接点部材１０５が設置されている。第１、第３接点部材１０３、１０５はＳＤカード１０１の側縁で押されて変位するようになっており、第２接点部材１０４と第３接点部材１０５でカード検出スイッチを構成し、第１接点部材１０３と第２接点部材１０４でデータ書き込みの可否を指定するライトプロテクト検出スイッチを構成している。ＳＤカード１０１の側縁には可動片１０６が設けられており、この可動片１０６の位置でライトプロテクト検出スイッチを構成した第１接点部材１０３の変位が制御されるようにしている。
【０００４】
このほかにも、カードソケットに設けられる検出スイッチには種々の構成のものがある。カードの挿入によって変位する接点部材がカードの厚さ方向で変位して相手側の接点部材と係合するようにした構成のもの（特開平１１−９７１１０号公報）や、カードの挿入によって変位する接点部材によって相手側の接点部材も変位させて、両接点部材の接点同志がワイピングされるようにした構成のもの（特許第２９７３４０２号）などが知られている。
【０００５】
【発明が解決しようとする課題】
前記のような、これまでのカードソケットにおける検出スイッチでは、スイッチを構成する各接点部材をそれぞれ異なる形状に形成していたので、部品点数が多くなりカードソケットのコストを低減する障害となっていた。例えば、図１４のカードソケットでは３種類の接点部材が必要である。他の例でも、検出スイッチを構成する一対の接点部材は互いに異なる形状で構成されていたので、一つの検出スイッチを設ける場合で２種類の接点部材、二つの検出スイッチを設ける場合で最低３種類の接点部材が必要となっていた。
【０００６】
この発明は斯かる問題点に鑑みてなされたもので、コストの低減を可能としたカードソケットにおける検出スイッチを提供することを目的としている。
【０００７】
【課題を解決するための手段】
前記の目的のもとになされたこの発明のカードソケットにおける検出スイッチは、検出スイッチを構成する複数の接点部材を共通化している。
【０００８】
即ちこの発明は、カードソケットを構成しているハウジングのカード受入部に設けられ、カード受入部に挿入されるカードによって変位する少なくとも二つの接点部材で構成されるカードソケットにおける検出スイッチにおいて、前記少なくとも二つの接点部材は、一端部に第１接点が形成され、他端部に第２接点が形成された同一の形状の接点部材から成り、一つの接点部材は、他の接点部材の接点と対向しない接点の部分が切除されていることを特徴とするカードソケットにおける検出スイッチである。
【０００９】
上記の構成において、ハウジングのカード受入部に一つの検出スイッチを設けるためには二つの接点部材が必要である。二つの検出スイッチを設けるためには三つの接点部材が必要である。少なくとも二つの接点部材は、ハウジングに一列に並べて設置し、一方の接点部材の端部の第１接点と、他方の接点部材の端部の第２接点を離接可能に対向させて、この離接可能な対向部分でカードを介して断接する検出スイッチを構成するのが望ましい。同一形状の接点部材の、他の接点部材の接点と対向しない接点の部分は切除することができる。
【００１０】
このような接点部材は、以下で説明するこの発明の好適な実施形態では、薄金属板を打ち抜いて成形したものとしているが、断面が円形、楕円形、あるいは三角形、四角形などの多角形の金属棒を成形して接点部材を構成することも可能である。
【００１１】
【作用】
このように構成されるこの発明のカードソケットにおける検出スイッチでは、少なくとも二つの接点部材を同一の形状の接点部材とすることで、検出スイッチを構成する接点部材の共通化を図ることができる。
【００１２】
【発明の実施の形態】
以下、この発明をＳＤカード用のカードソケットに実施した形態を添付の図を参照して説明する。
【００１３】
第１の実施形態を示している図１は、図３以下に示したカードソケット３０のハウジング３１によって形成されたカード受入部３２の一側に、ＳＤカード３３の挿入方向に沿って設けられた検出スイッチ１０の一つを取り出して示したもので、ＳＤカード３３と、検出スイッチ１０を構成する接点部材１１Ａ、１１Ｂのみを拡大して表している。
【００１４】
接点部材１１Ａ、１１Ｂは、薄金属板を打ち抜いて図示の如くの形状に成形したもので、矢示３４で示されるＳＤカード３３の挿入方向で、手前側の接点部材１１Ａと、奥側の接点部材１１Ｂが一列に並び、接点部材１１Ａの前端部と接点部材１１Ｂの後端部がオーバーラップするような関係で設置されている。接点部材１１Ａの前端部は、ＳＤカード３３の面方向で、カード側に突出するように弧状に屈曲ないし湾曲成形されて、斜面部１２がＳＤカード３３の先端コーナー部３３ａと対向できるようにされている。一方、接点部材１１Ｂの後端部は、ＳＤカード３３の厚さ方向で斜め下方（図において）に向って屈曲ないし湾曲成形されている。
【００１５】
接点部材１１Ｂの屈曲ないし湾曲成形された斜面部１３が、接点部材１１Ａの斜面部１２と、ＳＤカード３３の挿入方向で略同一の位置となるようにされており、斜面部１２の側縁１２ａと斜面部１３の側縁１３ａが間隙を介して対向し、側縁１２ａが検出スイッチ１０を構成する第１接点１４、側縁１３ａが第２接点１５を形成している。尚、接点部材１１Ａの斜面部１２に連続する斜面部１６は、接点部材１１Ｂの斜面部１３を連続させている平坦面部１７の下方（図において）に進入可能とされている（図２参照）。
【００１６】
次に、接点部材１１Ａと接点部材１１Ｂで上記のように構成されている検出スイッチ１０に対して、ハウジング３１のカード受入部３２にＳＤカード３３を挿入した時の動作を説明する。ＳＤカード３３を図１の矢示３４の方向に挿入すると、ＳＤカード３３の先端コーナー部３３ａが接点部材１１Ａの斜面部１２に当接し、接点部材１１Ａの弧状に成形された前端部を矢示３５のように外側に変位させ、接点部材１１Ａの側縁１２ａでなる第１接点１４が接点部材１１Ｂの側縁１３ａでなる第２接点１５と係合する。したがって、検出スイッチ１０はＯＮの状態となり、ＳＤカード３３の挿入を検出することができる。
【００１７】
更に、ＳＤカード３３の挿入を続けると、斜面部１２の矢示３５の方向の変位が進み、接点部材１１Ｂの斜面部１３を図１の矢示３６のように、ＳＤカード３３の厚さ方向で変位させると共に、第１接点１４と第２接点１５の係合部が接点部材１１Ｂの斜面部１３から平坦面部１７に向って移行する。図２には、ＳＤカード３３の厚さ方向で変位した斜面部１３が鎖線で示してある。この第１接点１４と第２接点１５の係合部の移行によって、各接点１４、１５が互いにワイピングされて、接点上の異物や酸化物などの皮膜が除去されるので、検出スイッチ１０のスイッチ動作を安定化させることができるものである。
【００１８】
次に、上記のように構成された検出スイッチ１０が設置されている図３以下のカードソケット３０の構成について説明する。カードソケット３０を構成したハウジング３１は、絶縁性のプラスチックを成形したもので、図４、９に良く表れているように、平面略Ｕ字型とされている。平面略Ｕ字型のハウジング３１の両側片３７の間が前記カード受入部３２とされており、ＳＤカード３３を受け入れるようにしてある。このカード受入部３２は、ハウジング３１の外側に取り付けた金属シェル３８で覆われている。
【００１９】
ハウジング３１の両側片３７を繋いでいる端片３９がカード受入部３２の端部を形成しており、この端片３９を貫通して複数のターミナル４０が設けてある。各ターミナル４０はカード受入部３２に延びるコンタクト片４１を有しており、ＳＤカード３３の表面に形成される接点（図示せず）と係合できるようにされている。また、各ターミナル４０は、ハウジング３１の底面と略面一となるテイル片４２を端片３９の外側に有しており、プリント回路基板などの導電パッドに半田付けできるようにされている。
【００２０】
始めに説明した検出スイッチ１０は、ハウジング３１を構成した側片３７の一方、即ち、図４において右側の側片３７に設けてある。カード受入部３２の入口側より、接点部材１１Ａ、１１Ｂ、１１Ｃと三つの接点部材が一列に設置され、接点部材１１Ａと接点部材１１Ｂで一つの検出スイッチ１０が構成され、接点部材１１Ｂと接点部材１１Ｃでもう一つの検出スイッチ１０が構成されている。図１０には、この三つの接点部材１１Ａ、１１Ｂ、１１Ｃのみを取り出して示してある。
【００２１】
図１０に表れているように、薄金属板を打ち抜いて成形された、各接点部材１１Ａ、１１Ｂ、１１Ｃは同一の形状をしている。中央の帯状に延びる装着片１８の一端（ＳＤカード３３の装着方向で前端）に、弧状に屈曲ないし湾曲成形されて斜面部１２、１６を備えた接点部１９が連設され、他端（後端）に斜めに屈曲ないし湾曲成形されて平坦面部１７と斜面部１３を備えた接点部２０が連設されている。カード受入部３２の最も奥側に設置される接点部材１１Ｃは、装着片１８の中間部分で切断されて、一端（前端）の接点部１９が切除されている。即ち、他の接点部材の接点と対向しない部分が除かれている。
【００２２】
これらの接点部材１１Ａ、１１Ｂ、１１Ｃは、ハウジング３１の側片３７に沿って形成されている装着溝４３（図４）に、それぞれの装着片１８を挿入係止して、一列に並んでいる。装着片１８に設けた係止片１８ａがハウジング３１に係止するようにしている。接点部材１１Ａの前端に形成した接点部１９と、接点部材１１Ｂの前端に形成した接点部１９が、それぞれ、カード受入部３２に突出するようにされ、そして、カードの面方向で変位可能とされている。また、接点部材１１Ｂ、１１Ｃの後端に形成した接点部２０が、接点部材１１Ａ、１１Ｂの前端に形成した接点部１９と対向するようにされ、側片３７内においてＳＤカード３３の厚さ方向で変位可能とされて、図１に示した如くの検出スイッチ１０が二つ構成されている。
【００２３】
各接点部材１１Ａ、１１Ｂ、１１Ｃに共通に備えている装着片１８には、その側縁から略直角に延びるテイル片２１が設けられている。このテイル片２１は、装着片１８を装着溝４３に装着した時にハウジング３１の底面と略面一となるもので、前記ターミナル４０のテイル片４２と同様に、プリント回路基板などの導電パッドに半田付けができるようにされている。
【００２４】
前記で説明したように、カードソケット３０のカード受入部３２にＳＤカード３３を挿入すると、ＳＤカード３３によって、先ず接点部材１１Ａの接点部１９がカードの面方向で外側に変位してその第１接点１４と、接点部材１１Ｂの接点部２０の第２接点１５が係合とワイピングをする。ＳＤカード３３を更に挿入すると、接点部材１１Ｂの接点部１９がカードの面方向で外側に変位してその第１接点１４と、接点部材１１Ｃの接点部２０の第２接点１５が係合とワイピングをする。
【００２５】
このようにして、二つの検出スイッチ１０がＳＤカード３３によってＯＮ、ＯＦＦが制御される。接点部材１１Ｂを共通の接点部材として、例えば、接点部材１１Ｂと接点部材１１Ｃでカードの挿入を検出するスイッチとし、接点部材１１Ａと接点部材１１Ｂとで、カードのライトプロテクトの状態を検出するスイッチとすることができる。接点部材１１Ａの前端の弧状の接点部１９が、図１４に１０６で示したように、ＳＤカード３３に通常設けられる可動片の設置部分と対応するようにするのである。
【００２６】
各接点部材１１Ａ、１１Ｂ、１１Ｃを同一の形状として共通化したので、カードソケット３０における検出スイッチ１０に要するコストを低減することができる。この実施形態では二つの検出スイッチ１０を設けているが、一つの検出スイッチを設ける場合でも、三つ以上の検出スイッチ１０を設ける場合でも、接点部材の同一形状による共通化のメリットを享受できることには変わりはない。
【００２７】
また、接点部材１１Ｃのように、他の接点部材の接点部と対向しない接点部１９を切除することによって、カードソケット３０が不必要に長大化するのを避けて、カードソケット３０の小型化に寄与することができる。図３以下に示した実施形態のカードソケット３０では、接点部材１１Ａの接点部２０が、他の接点部材の接点部と対向しないにもかかわらず残しているが、この部分を切除して更に小型化することも可能である。
【００２８】
ここで説明した実施形態のカードソケット３０の、検出スイッチ１０以外の部分を次に説明する。ハウジング３１の他方の側片３７の部分には、ＳＤカード３３に対するイジェクト機構と、ホールド機構が設けてある。
【００２９】
イジェクト機構は、側片３７に沿って移動可能に設けたイジェクトロッド４４と、側片３７と端片３９が連続するコーナー部に回動可能に設けたイジェクトレバー４５（図９）とで構成されている。イジェクトロッド４４の外端にはボタン４６が取り付けられて、ボタン４６を介してイジェクトロッド４４を矢示４７のように押し込むことができるようにされている。
【００３０】
イジェクトレバー４５は、図９に表れているように、軸部４８を挟んで一端が、イジェクトロッド４４の先端に形成した係合部４４ａと対向する係合部４５ａとされ、他端が、ハウジング３１の端片３９に沿って延びるイジェクト片４９とされている。イジェクトロッド４４を押し込むとイジェクトレバー４５が矢示５０のように回動して、イジェクト片４９がカード受入部３２に挿入されているＳＤカード３３を外部に向ってイジェクトできるようにされている。
【００３１】
また、ホールド機構は、薄金属板を打ち抜いて成形したばね部材５１で構成されている。ばね部材５１は、帯状の装着片５２と、その一端に連続させた弧状の湾曲部５３とでなる。装着片５２がハウジング３１の側片３７に形成された装着溝５４に装着されて固定され、湾曲部５３がカード受入部３２に突出するようにされている。ＳＤカード３３側の側縁に、この湾曲部５３と対向する切欠部（図示せず）を設けることで、カード受入部３２に完全に挿入されたＳＤカード３３を湾曲部５３と切欠部の係合によってホールドできるようにするものである。また、カードを挿入する際の、切欠部と湾曲部５３の係合によってクリック感が得られるようにもなっている。
【００３２】
カードソケット３０の底面図を示している図４に表れているように、底面には、金属ネイル５５と、位置決めボス５６が設けられている。金属ネイル５５は、ハウジング３１の両側片３７の先端部に、ハウジング３１の底面と略面一となるように設けられ、プリント回路基板などの半田パッドに半田付けできるようにされている。位置決めボス５６は、ハウジング３１と一体に成形された円柱状のものである。プリント回路基板などに形成された位置決め穴に係合させて、このカードソケット３０の設置位置が正確に決められるようにされている。
【００３３】
次に、図１１〜図１３に示した第２の実施形態について説明する。この実施形態のカードソケット９０も、ハウジング９１の一側に三つの接点部材７１Ａ、７１Ｂ、７１Ｃが一列に設置されている。接点部材７１Ａと７１Ｂで一つの検出スイッチ７０が構成され、接点部材７１Ｂと７１Ｃでもう一つの検出スイッチ７０が構成されている。
【００３４】
各接点部材７１Ａ、７１Ｂ、７１Ｃは、図１２、１３に示したように、薄金属板を打ち抜き成形したもので、同一の形状をしている。それぞれの接点部材７１Ａ、Ｂ、Ｃは、中央の帯状に延びる装着片７８の一端に、斜面部７２、７６が形成されていると共に、その先に装着片７８の延長上に位置する第１接点７４が形成されている。また、装着片７８の他端には、装着片７８からそのまま延びる第２接点７５が形成されている。この第２接点７５は、コンタクト突起７５ａを備えている。
【００３５】
接点部材７１Ａ、７１Ｂ、７１Ｃは、ハウジング９１の側片９７に沿って形成されている装着溝９８に、それぞれの装着片７８が装着されて一列に並んでいる。接点部材７１Ａと７１Ｂの斜面部７２、７６の部分がハウジング９１のカード受入部９２に突出するようにされている。そして、接点部材７１Ａの第１接点７４と接点部材７１Ｂの第２接点７５が当接（ＯＮ）していると共に、接点部材７１Ｂの第１接点７４と接点部材７１Ｃの第２接点７５が当接（ＯＮ）している。尚、この実施形態においても、接点部材７１Ｃの第２接点７５側が切断されて除かれている。
【００３６】
カード受入部９２にカード（図示せず）が挿入されると、カードの側縁が斜面部７２を外方に押しやり、検出スイッチ７０を構成している第１接点７４と第２接点７５の当接を離隔（ＯＦＦ）するようにしている。
【００３７】
この第２の実施形態においても、検出スイッチ７０を構成する接点部材７１Ａ、７１Ｂ、７１Ｃを同一の形状としているので、接点部材を製作する金型を共通にでき、同一形状のものを必要な数だけ製作するので加工効率も良くでき、製造のコストを低減することができる。
【００３８】
【発明の効果】
以上に説明の通り、この発明によれば、カードソケットのハウジングに設けられる少なくとも二つの接点部材を同一の形状として共通化したので、カードソケットの製造コストの低減を可能にする。
【００３９】
また、接点部材の不必要な部分を切除するので、カードソケットの不必要な長大化を避けることができる。
【００４０】
そして、請求項２の発明によれば、カードソケットの製造コストの低減を可能にできると共に、カードソケットの不必要な長大化を避けて小型化を図ることができる。
【図面の簡単な説明】
【図１】この発明の第１の実施形態の、検出スイッチを構成する二つの接点部材を取り出して表した拡大斜視図である。
【図２】同じく、検出スイッチを構成する二つの接点部材の接点部の部分の拡大側面図である。
【図３】この発明の第１の実施形態のカードソケットの平面図である。
【図４】同じくカードソケットの底面図である。
【図５】同じくカードソケットの左側面図である。
【図６】同じくカードソケットの右側面図である。
【図７】同じくカードソケットの正面図である。
【図８】同じくカードソケットの背面図である。
【図９】同じくカードソケットの金属シェルを取除いて示した平面図である。
【図１０】二つの検出スイッチを構成した三つの接点部材のみを取り出して示した拡大斜視図である。
【図１１】この発明の第２の実施形態の検出スイッチを備えたカードソケットの底面図である。
【図１２】第２の実施形態の検出スイッチを構成する三つの接点部材のみを示した平面図である。
【図１３】第２の実施形態の検出スイッチを構成する二つの接点部材のみを示した拡大斜視図である。
【図１４】従来のカードソケットにおける検出スイッチの一例を説明する概略図である。
【符号の説明】
１０、７０          検出スイッチ
１１Ａ、１１Ｂ、１１Ｃ、７１Ａ、７１Ｂ、７１Ｃ      接点部材
１２、７２          斜面部
１２ａ              側縁
１３                斜面部
１３ａ              側縁
１４、７４          第１接点
１５、７５          第２接点
１６、７６          斜面部
１７                平坦面部
１８、７８          装着片
１９、２０          接点部
３０、９０          カードソケット
３１、９１          ハウジング
３２、９２          カード受入部
３３                ＳＤカード
４０                ターミナル
４４                イジェクトロッド
４５                イジェクトレバー
５１                ばね部材
【図１】
0004578028.tif 000002
【図２】
0004578028.tif 000003
【図３】
0004578028.tif 000004
【図４】
0004578028.tif 000005
【図５】
0004578028.tif 000006
【図６】
0004578028.tif 000007
【図７】
0004578028.tif 000008
【図８】
0004578028.tif 000009
【図９】
0004578028.tif 000010
【図１０】
0004578028.tif 000011
【図１１】
0004578028.tif 000012
【図１２】
0004578028.tif 000013
【図１３】
0004578028.tif 000014
【図１４】
0004578028.tif 000015